(57)【要約】【課題】本考案は、生ゴミと生ゴミ水分を仕切り、堆肥段階でその水分が生ゴミ部分に流れて戻るようにし、生ゴミの発酵を加速させ、発酵が早く完了するよう促すのに有効な環境保護型生ゴミ堆肥袋を提供する。【解決手段】本考案の環境保護型生ゴミ堆肥袋は、袋体を備え、袋体上部には開口を設け、第一開閉部材を利用して開口を開閉し、袋体内部に仕切り圧着線を設けることで、袋体を生ゴミを収納する生ゴミ部と、下部に位置して生ゴミ水分を収納する液体部に仕切り、仕切り圧着線上に少なくとも１つの第一孔部を設けることで、生ゴミ部内部の水分が液体部に流れるようにする。【選択図】図２
0003175595.tif 000002
【実用新案登録請求の範囲】
【請求項１】
上部に開口を設け、前記開口上に少なくとも１つの第一開閉部材を設けて前記開口を開閉する袋体と、
前記袋体内部に設けられ、前記袋体を生ゴミを収納する生ゴミ部と、下部に位置する生ゴミ水分を収納する液体部に仕切り、少なくとも１つの第一孔部を有することで前記生ゴミ水分を前記液体部内に流れるようにする仕切り圧着線と、
を備えることを特徴とする環境保護型生ゴミ堆肥袋。
【請求項２】
前記液体部を前記開口まで拡張し、前記液体部内部の水分が前記開口から流出するようにすることを特徴とする、請求項１に記載の環境保護型生ゴミ堆肥袋。
【請求項３】
前記液体部の前記開口に少なくとも１つの第二開閉部材を設けることを特徴とする、請求項２に記載の環境保護型生ゴミ堆肥袋。
【請求項４】
前記第二開閉部材はジッパー式または巾着式でもよいことを特徴とする、請求項３に記載の環境保護型生ゴミ堆肥袋。
【請求項５】
前記第一開閉部材はジッパー式または巾着式でもよいことを特徴とする、請求項１に記載の環境保護型生ゴミ堆肥袋。
【請求項６】
前記袋体上部に持ち手部を設けることを特徴とする、請求項１に記載の環境保護型生ゴミ堆肥袋。
【請求項７】
前記液体部に更に排水口を設け、前記液体部内の水分を流出させることを特徴とする、請求項１に記載の環境保護型生ゴミ堆肥袋。
【請求項８】
前記液体部に少なくとも１つの第二孔部を設け、前記液体部内の水分が前記生ゴミ部に流れて戻るようにすることを特徴とする、請求項１に記載の環境保護型生ゴミ堆肥袋。
【請求項９】
前記仕切り圧着線はＬ字型圧着線でもよいことを特徴とする、請求項１に記載の環境保護型生ゴミ堆肥袋。
【請求項１０】
前記袋体底部に自立底部を設け、前記袋体底部を広げて平面上で自立できるようにすることを特徴とする、請求項１に記載の環境保護型生ゴミ堆肥袋。
【考案の詳細な説明】
【技術分野】
【０００１】
本考案は生ゴミ堆肥袋に関するものであって、特に生ゴミと生ゴミ水分を仕切る環境保護型生ゴミ堆肥袋に関するものである。
【背景技術】
【０００２】
生ゴミ回収の目的は、ゴミの量の増加を軽減し処理コストを削減することと、生ゴミが悪臭を発するのを回避することにあり、回収して乾燥させた後に堆肥をつくることが最も主要である。しかし生ゴミ中には大量の水分が含まれる。水分がしっかり濾されないことの欠点は、ゴミの重量と体積を増加させ、生ゴミの悪臭発生を早め、運搬過程で漏れて環境の汚臭を引起しやすいことである。また、回収した生ゴミを肥料にする前には、まず水分を除去する必要があるので、余分な手間が増える。生ゴミを日干して堆肥にする、または埋めて処理する場合は、生ゴミ中の大量の水分が滲み出て、地下水を汚染する。焼却方式を利用して生ゴミを焼却する場合、大量の水分は焼却時の焼却炉への負担を増加させる。
【０００３】
これらの点に鑑みて考案された生ゴミ水分を濾すことができる堆肥バケツは、図１が示すように、生ゴミを直接堆肥バケツ５０に入れたとき、堆肥バケツ５０内部のろ過網５２を利用して生ゴミと生ゴミ中の水分をろ過して分け、堆肥バケツ５０の下部に設けた蛇口５４を開いてろ過されて出た生ゴミ水分を流出させ、生ゴミ水分を回収する。そして生ゴミ水分を堆肥バケツ５０の中に戻すことで、生ゴミ水分を生ゴミに戻し入れ、生ゴミの発酵を加速させて肥料にする、または直接液体肥料を作り、希釈して植物の養分を作る。しかし、堆肥バケツの製造は多くの部品を要し、組立てが煩雑であり、かつ堆肥バケツは比較的大きくて硬い材質の容器設計であるため、場所をとり、密閉効果にも劣り、臭い漏れしやすく、また堆肥バケツの材質は不透明であるため、堆肥発酵の状態が観察し難い。
【考案の概要】
【考案が解決しようとする課題】
【０００４】
これらの点を考慮し、上述した公知技術の欠点に対して問題を克服すべく、本考案は環境保護型生ゴミ堆肥袋を提案する。本考案の主な目的は、生ゴミの
堆肥発酵に用いるものであり、生ゴミと生ゴミ水分を仕切り、生ゴミ水分を回収し、生ゴミ水分を生ゴミ中に戻し入れ、生ゴミの発酵を加速させ、発酵堆肥が早くできあがるようにする環境保護型生ゴミ堆肥袋を提供することである。
【０００５】
本考案のもう１つの目的は、堆肥完成後に、堆肥を別のビニール袋に詰める必要がなく、使用上迅速で便利であり、袋体が透明状であるため、生ゴミの発酵状態等を随時観察できる環境保護型生ゴミ堆肥袋を提供することである。
【０００６】
本考案の更なる目的は、製作が簡単で、製作コストが低く、体積が小さくて折り畳め、運搬や保管に極めて便利である環境保護型生ゴミ堆肥袋を提供することである。
【課題を解決するための手段】
【０００７】
上述の目的を達成するため、本考案の提供する環境保護型生ゴミ堆肥袋は、袋体を備え、袋体上部に開口を設け、開口上には第一開閉部材を設置して開口を開閉し、袋体内部に仕切り圧着線を設けることで、袋体を生ゴミを収納する生ゴミ部と、下部に位置して生ゴミ水分を収納する液体部に仕切り、仕切り圧着線上には少なくとも１つの第一孔部を設けることで、生ゴミ部内の水分が液体部内に流れるようにする。
【考案の効果】
【０００８】
本考案によれば、生ゴミと生ゴミ水分を仕切ることができ、生ゴミ水分を回収して生ゴミに戻し入れることで、生ゴミ水分により生ゴミの発酵速度を加速させることができる。また、袋体が透明状なので生ゴミの発酵状態を随時観察でき、堆肥完成後に、生ゴミを別の入れ物に移す必要が無いのですぐ使うことができる。そして本考案は、製作が簡単で、コストが安く、使用時に場所をとらず、収納に便利である。
【図面の簡単な説明】
【０００９】
【図１】公知の生ゴミ堆肥バケツ。
【図２】本考案の第一実施例。
【図３】本考案の第一実施例の使用状態を示す図。
【図４】本考案の第二実施例。
【図５】本考案の第三実施例。
【図６】本考案の第四実施例。
【図７】本考案の第四実施例の使用状態を示す図。
【図８】本考案の第五実施例。
【図９】本考案の第六実施例。
【図１０】本考案の第七実施例。
【図１１】本考案の第八実施例。
【図１２】本考案の第九実施例。
【考案を実施するための形態】
【００１０】
本考案の構造特徴と達成される効果の更なる理解と認識のため、図面を参照しながら好ましい実施例を挙げて以下に詳細を説明する。
【実施例】
【００１１】
図２と図３を併せて参照されたい。図が示すように、本考案は袋体１２を備える。袋体１２は透明状であり、袋体１２内部がはっきり見え、袋体１２内部の生ゴミ２４の発酵等の状態を観察するのに極めて便利である。袋体１２上部には開口１４を設け、開口１４から発酵させたい生ゴミ２４を入れることができる。開口１４には少なくとも１つの第一開閉部材１６を設けて開口１４を開閉する。本実施例では２つの第一開閉部材１６を例に挙げるが、第一開閉部材１６はジッパー式または巾着式であってもよい。袋体１２には持ち手１２８を更に設け、袋体１２を持ち上げるのに用いる。袋体１２内部には仕切り圧着線１８を設ける。これは高温熱圧着を利用して袋体１２に仕切り圧着線１８を作り出したものであり、袋体１２を生ゴミ２４を収納する生ゴミ部１２２と、生ゴミ部１２２下方に位置して生ゴミ水分２６を収納する液体部１２４に仕切る。
通常生ゴミ２４内部は大量の生ゴミ水分２６を含むので、仕切り圧着線１８上に少なくとも１つの第一孔部１８２を設ける。次に図３を参照されたい。本実施例では持ち手部１２８を支点として袋体１２を吊り上げ、生ゴミ部１２２内の大量の生ゴミ水分２６が上から下に流れるようにすることで、水平の平面上に置いたときに生ゴミ部１２２と液体部１２４を同時に平らになるため位置に高低差がなく生ゴミ水分２６が液体部１２４に流れにくくなるといった事態が起こらない。
このため、袋体１２を吊り上げて、生ゴミ部１２２内の大量の生ゴミ水分２６を第一孔部１８２から液体部１２４に流れるようにすることができる。本考案はまた、環境保護型生ゴミ堆肥袋１０をレンガブロック上に置くことができ、液体部１２４をレンガブロック平面より低い位置にすることで、液体部１２４に高低差を持たせ、生ゴミ部１２２内の大量の生ゴミ水分２６が上から下の液体部１２４に流れるようにし、生ゴミ２４と生ゴミ水分２６を分離し、液体部１２４内の生ゴミ水分２６を排出したいとき、使用者は液体部１２４に自分で穴を開け生ゴミ水分２６を排出できる。
または図４が示すように、液体部１２４上に排水口１２６を設け、排水口１２６には開閉部材２８を増設することで、開閉部材２８を開いたとき、生ゴミ水分を排水口１２６経由で排出させることができる。本考案は更に図５が示すように、袋体１２底部に自立底部３０を設け、袋体１２底部を開くと、袋体１２底部の面積が大きくなり、袋体１２が平面上で安定して自立できるようする。こうすることで、袋体１２を吊るしたりレンガブロック上に立てることなく、生ゴミ部１２２内部の生ゴミ水分２６をスムーズに液体部１２４中に流れるようにできる。残りの構造については第一実施例と同じなので、再度述べない。
【００１２】
本考案の仕切り圧着線１８については、図６で示すように、仕切り圧着線１８はＬ字型でもよく、液体部１２４を上方に拡張し、上部に第二孔部１８４を設ける。残りの構造については第二実施例と同じなので再度述べない。第四実施例中の第二孔部１８４の作用は図７で示すように、使用者が袋体１２を斜めに傾けた後、液体部１２４の生ゴミ水分２６は第二孔部１８４に向かって流れ、液体部１２４内部の生ゴミ水分２６は第二孔部１８４経由で流出し、生ゴミ部１２２内の生ゴミ２４の上部に戻る。もとの生ゴミ２４をろ過した後の生ゴミ水分２６を生ゴミ２４に戻し入れることで生ゴミ２４が発酵して堆肥になるのを早め、発酵速度も増す。
【００１３】
上述の実施例以外に、本考案は図８が示すように、液体部１２４を開口１４まで拡張し、液体部１２４と生ゴミ部１２２が開口１４を共用し、液体部１２４内部の生ゴミ水分を開口１４から流出させ、かつ生ゴミ部１２２と液体部１２４は少なくとも１つの第一開閉部材１６を共用して開口１４を開閉することもできる。本実施例では２つの第一開閉部材１６を例に挙げる。第二孔部１８４は除くこともでき、液体部１２４内の生ゴミの液体を液体部１２４の開口１４から直接生ゴミ部１２２中に戻し入れることができる。液体部１２４下部の排水口１２６も除き、生ゴミ水分を開口１４から直接排出できる。残りの構造については第四実施例と同じなので、再度述べない。
【００１４】
上述の実施例以外に、本考案の液体部１２４の開口１４は、図９で示すように、別の少なくとも１つの独立した第二開閉部材２２を別に設置して、液体部１２４の開口１４を開閉してもよい。本実施例では２つの第二開閉部材２２を例に挙げる。第二開閉部材２２はジッパー式または巾着式でもよく、残りの構造については第五実施例と同じなので、再度述べない。
【００１５】
上述の実施例外に、本考案は図１０が示すように、排水口１２６を開口１４の端に設けることもできる。残りの構造については第五実施例と同じなので、再度述べない。第七実施例では排水口１２６を開口１４の端に設けるが、第七実施例は生ゴミ水分２６を排出するとき、図１１が示すように、袋体１４を斜めに傾けるだけでよく、新たに穴を開ける必要は無く、生ゴミ水分２６は開口１４の端の排水口１２６から排出する。
【００１６】
上述の実施例以外に、本考案は図１２が示すように、環境保護型生ゴミ堆肥袋１０内部に生ゴミ２４と生ゴミ水分２６を収納したとき、袋体１２上に空気ろ過管２０を挿入できる。生ゴミ２４が発酵して堆肥になる過程では、発酵気体の腐敗臭が発生しやすいので、空気ろ過管２０を設置することで腐敗臭を袋体１２内部から排出し、腐敗臭の減少に役立つ。
【００１７】
上述の環境保護型堆肥に用いる以外に、本考案は食材を収納することもでき、野菜を洗った後に水気を切る、または残り野菜を詰める等の用途があり、食材の水気を切ることで、乾いた部分と湿った部分が分離した状態が形成される。このようにすることで、食材が長時間水分に浸かって食材が傷み、味が落ちることいったことがなくなる。
【００１８】
上述では本考案の好ましい実施例を開示したに過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００１９】
１０  環境保護型生ゴミ堆肥袋 
１２  袋体
１４  開口
１６  第一開閉部材
１８  仕切り圧着線
２０  空気ろ過管
２２  第二開閉部材
２４  生ゴミ
２６  生ゴミ水分
２８  開閉部材
３０  自立底部
５０  堆肥バケツ
５２  ろ過網
５４  蛇口
１２２  生ゴミ部
１２４  液体部
１２６  排水口
１２８  持ち手部
１８２  第一孔部
１８４  第二孔部
【図１】
0003175595.tif 000003
【図２】
0003175595.tif 000004
【図３】
0003175595.tif 000005
【図４】
0003175595.tif 000006
【図５】
0003175595.tif 000007
【図６】
0003175595.tif 000008
【図７】
0003175595.tif 000009
【図８】
0003175595.tif 000010
【図９】
0003175595.tif 000011
【図１０】
0003175595.tif 000012
【図１１】
0003175595.tif 000013
【図１２】
0003175595.tif 000014